(57)【要約】【課題】結束バンドの構造の複雑化および部品点数の増加を抑制しながら、バンド部を増し締めすることが可能な結束バンドを提供する。【解決手段】この結束バンド１（結束バンド）は、複数のバンド爪１１１が設けられたバンド部１１と、バンド部１１の長手方向の一端に設けられ、バンド部１１のバンド爪１１１に係合してバンド部１１を固定するロック爪３１３を含む頭部３１とを備え、頭部３１には、ロック爪３１３に対して相対的に移動されることにより、バンド部１１を増し締め方向に送るバンド送り部３１５が一体的に設けられている。【選択図】図２
2013113329.tif 000002
【特許請求の範囲】
【請求項１】
複数のバンド爪が設けられたバンド部と、
前記バンド部の長手方向の一端に設けられ、前記バンド部のバンド爪に係合して前記バンド部を固定するロック爪を含む頭部とを備え、
前記頭部には、前記ロック爪に対して相対的に移動されることにより、前記バンド部を増し締め方向に送るバンド送り部が一体的に設けられている、結束バンド。
【請求項２】
前記バンド送り部は、前記頭部との接続部分に設けられた弾性変形可能な接続部を含み、前記弾性変形可能な接続部が弾性変形されて前記ロック爪に対して相対的に移動するように構成されている、請求項１に記載の結束バンド。
【請求項３】
前記弾性変形可能な接続部は、蛇腹形状を有する、請求項２に記載の結束バンド。
【請求項４】
前記バンド送り部は、前記バンド爪と係合するとともに、前記ロック爪に対して相対的に直線移動されることにより、前記バンド部を増し締め方向に送る送り爪を含む、請求項２または３に記載の結束バンド。
【請求項５】
前記送り爪は、前記バンド部の増し締め方向における前記ロック爪の後ろ側の位置に設けられている、請求項４に記載の結束バンド。
【請求項６】
前記バンド送り部は、前記接続部を介して前記頭部と接続され、前記バンド送り部を押し込むための押し込み部をさらに含み、
前記押し込み部は、前記送り爪に一体的に設けられており、
前記押し込み部がユーザにより押し込まれることにより前記弾性変形可能な接続部が変形されて、前記送り爪が前記ロック爪に対して相対的に移動するように構成されている、請求項５に記載の結束バンド。
【請求項７】
前記送り爪と前記ロック爪とは、所定個数分の前記バンド爪の間隔を隔てて設けられ、
前記バンド部は、前記送り爪が前記所定個数分のバンド爪の間隔の範囲内で増し締め方向に送られることにより増し締めされるように構成されている、請求項４〜６のいずれか１項に記載の結束バンド。
【請求項８】
前記送り爪は、ユーザにより前記送り爪が前記ロック爪に対して相対的に前記バンド部の増し締め方向に移動される際には、前記接続部が弾性変形されて前記バンド部のバンド爪と係合して共に移動し、増し締め後には、前記弾性変形された接続部の復元力により、前記バンド部のバンド爪との係合が解除されて前記バンド部の増し締め方向と反対方向に移動されるように構成されている、請求項４〜７のいずれか１項に記載の結束バンド。
【請求項９】
前記弾性変形された接続部の復元力により前記ロック爪に対して相対的に前記バンド部の増し締め方向と反対方向に移動される際に、前記接続部が撓み変形することにより前記送り爪が前記バンド部に対して離間する方向に移動して係合が解除されるように構成されている、請求項４〜８のいずれか１項に記載の結束バンド。
【請求項１０】
ユーザによる増し締め後、前記送り爪が前記弾性変形された接続部の復元力により前記ロック爪に対して相対的に前記バンド部の増し締め方向と反対方向に移動された後に、再度、ユーザにより前記送り爪が前記ロック爪に対して相対的に前記バンド部の増し締め方向に移動されることにより前記バンド部を再度増し締め方向に送ることが可能なように構成されている、請求項８または９に記載の結束バンド。
【請求項１１】
前記送り爪の爪部は、前記ロック爪の爪部と略同一の爪形状を有している、請求項４〜１０のいずれか１項に記載の結束バンド。
【発明の詳細な説明】
【技術分野】
【０００１】
この発明は、結束バンドに関し、特に、バンド部のバンド爪に係合してバンド部を固定するロック爪を含む頭部を備えた結束バンドに関する。
【背景技術】
【０００２】
従来、バンド部のバンド爪に係合してバンド部を固定するロック爪を含む頭部を備えた結束バンドが知られている（たとえば、特許文献１参照）。
【０００３】
上記特許文献１には、複数の歯（バンド爪）が設けられた樹脂製バンド（バンド部）と、樹脂製バンドの長手方向の一端に取り付けられ、樹脂製バンドの歯に係合して樹脂製バンドを固定する戻止め爪（ロック爪）を含むバンド用留め具（頭部）とを備えた結束バンドが開示されている。この結束バンドのバンド用留め具は、戻止め爪が設けられた基体と、基体に対して回動可能なように基体の切欠に嵌め込まれたカバー体とにより構成されている。また、カバー体には、カバー体が基体に対して回動されることにより樹脂製バンドの歯に係合して樹脂製バンドを増し締め方向に送る爪車が設けられている。これにより、上記特許文献１の結束バンドでは、カバー体を回動させることにより樹脂製バンドを増し締めすることが可能である。
【先行技術文献】
【特許文献】
【０００４】
【特許文献１】特開２０００−２４０６１８号公報
【発明の概要】
【発明が解決しようとする課題】
【０００５】
しかしながら、上記特許文献１の結束バンドでは、樹脂製バンド（バンド部）を増し締め可能である一方、爪車をカバー体に設けるとともに、カバー体を基体の切欠に嵌め込んで基体に対して回動可能なように設ける必要があるので、結束バンドの構造が複雑になるとともに部品点数が増加するという問題点がある。
【０００６】
この発明は、上記のような課題を解決するためになされたものであり、この発明の１つの目的は、結束バンドの構造の複雑化および部品点数の増加を抑制しながら、バンド部を増し締めすることが可能な結束バンドを提供することである。
【課題を解決するための手段】
【０００７】
この発明の一の局面による結束バンドは、複数のバンド爪が設けられたバンド部と、バンド部の長手方向の一端に設けられ、バンド部のバンド爪に係合してバンド部を固定するロック爪を含む頭部とを備え、頭部には、ロック爪に対して相対的に移動されることにより、バンド部を増し締め方向に送るバンド送り部が一体的に設けられている。
【０００８】
この発明の一の局面による結束バンドでは、上記のように、ロック爪に対して相対的に移動することによりバンド部を増し締め方向に送るバンド送り部を設けることによって、バンド送り部により、バンド部を増し締めすることができる。また、バンド送り部を頭部に一体的に設けることによって、バンド送り部を頭部と別個に設けて頭部に対して移動可能なように取り付ける場合とは異なり、結束バンドの構造の複雑化および部品点数の増加を抑制することができる。したがって、結束バンドの構造の複雑化および部品点数の増加を抑制しながら、バンド部を増し締めすることができる。
【０００９】
上記一の局面による結束バンドにおいて、好ましくは、バンド送り部は、頭部との接続部分に設けられた弾性変形可能な接続部を含み、弾性変形可能な接続部が弾性変形されてロック爪に対して相対的に移動するように構成されている。このように構成すれば、増し締めの際に接続部を弾性変形させてバンド送り部をロック爪に対して相対的に移動させた後、接続部の復元力によりバンド送り部が元の位置に戻されるので、ユーザが手動でバンド送り部を元の位置に戻す必要がない。これにより、ユーザに負担を軽減しながら、増し締め作業を繰り返し行うことができる。
【００１０】
この場合、好ましくは、弾性変形可能な接続部は、蛇腹形状を有する。このように構成すれば、接続部を蛇腹形状に形成することにより接続部を容易に弾性変形可能に構成することができる。
【００１１】
上記バンド送り部が接続部を含む構成において、好ましくは、バンド送り部は、バンド爪と係合するとともに、ロック爪に対して相対的に直線移動されることにより、バンド部を増し締め方向に送る送り爪を含む。このように構成すれば、バンド送り部の送り爪をバンド部のバンド爪に係合させて確実にバンド部を増し締め方向に送ることができる。
【００１２】
上記バンド送り部が直線移動される構成において、好ましくは、送り爪は、バンド部の増し締め方向におけるロック爪の後ろ側の位置に設けられている。このように構成すれば、ユーザは頭部とバンド送り部とを把持して頭部と送り爪（バンド送り部）との距離を縮めるだけで送り爪をロック爪に対して相対的に移動させることができるので、容易にバンド部を増し締め方向に送ることができる。
【００１３】
上記送り爪がロック爪の後ろ側の位置に設けられている構成において、好ましくは、バンド送り部は、接続部を介して頭部と接続され、バンド送り部を押し込むための押し込み部をさらに含み、押し込み部は、送り爪に一体的に設けられており、押し込み部がユーザにより押し込まれることにより弾性変形可能な接続部が変形されて、送り爪がロック爪に対して相対的に移動するように構成されている。このように構成すれば、ユーザは、押し込み部を押し込むだけで送り爪をロック爪に対して相対的に移動させることができるので、バンド部の増し締め作業を容易に行うことができる。
【００１４】
上記バンド送り部が直線移動される構成において、好ましくは、送り爪とロック爪とは、所定個数分のバンド爪の間隔を隔てて設けられ、バンド部は、送り爪が所定個数分のバンド爪の間隔の範囲内で増し締め方向に送られることにより増し締めされるように構成されている。このように構成すれば、所定個数分のバンド爪の間隔の範囲内であれば、任意の個数分のバンド爪の間隔でバンド部を送ることができるので、バンド部の増し締め量を容易に調整することができる。
【００１５】
上記バンド送り部が直線移動される構成において、好ましくは、送り爪は、ユーザにより送り爪がロック爪に対して相対的にバンド部の増し締め方向に移動される際には、接続部が弾性変形されてバンド部のバンド爪と係合して共に移動し、増し締め後には、弾性変形された接続部の復元力により、バンド部のバンド爪との係合が解除されてバンド部の増し締め方向と反対方向に移動されるように構成されている。このように構成すれば、増し締めの際には、接続部を弾性変形させてバンド送り部をロック爪に対して相対的に移動させることができるとともに、増し締め後には、送り爪とバンド爪との係合が解除されて送り爪だけが元の位置に戻されるので、バンド部の増し締め状態を維持したまま送り爪を元の位置に戻すことができる。
【００１６】
上記バンド送り部が送り爪を含む構成において、好ましくは、弾性変形された接続部の復元力によりロック爪に対して相対的にバンド部の増し締め方向と反対方向に移動される際に、接続部が撓み変形することにより送り爪がバンド部に対して離間する方向に移動して係合が解除されるように構成されている。このように構成すれば、接続部により送り爪がバンド部に対して離間する方向に移動しやすくなるので、送り爪とバンド爪との係合が解除されやすくなる。これにより、接続部により送り爪を元の位置により容易に戻すことができる。
【００１７】
上記送り爪は接続部が弾性変形されてバンド部のバンド爪と係合して共に移動する構成において、好ましくは、ユーザによる増し締め後、送り爪が弾性変形された接続部の復元力によりロック爪に対して相対的にバンド部の増し締め方向と反対方向に移動された後に、再度、ユーザにより送り爪がロック爪に対して相対的にバンド部の増し締め方向に移動されることによりバンド部を再度増し締め方向に送ることが可能なように構成されている。このように構成すれば、送り爪を増し締め方向に移動してバンド部を一度増し締めした後、再度、送り爪をロック爪に対して相対的にバンド部の増し締め方向に移動させることができるので、所望の増し締め状態になるまで繰り返し増し締めを行うことができる。
【００１８】
上記バンド送り部が直線移動される構成において、好ましくは、送り爪の爪部は、ロック爪の爪部と略同一の爪形状を有している。このように構成すれば、送り爪の爪部をバンド部のバンド爪に容易に係合させることができるので、容易に、バンド送り部の送り爪をバンド部のバンド爪に係合させて確実にバンド部を増し締め方向に送ることができる。
【発明の効果】
【００１９】
本発明によれば、上記のように、結束バンドの構造の複雑化および部品点数の増加を抑制しながら、バンド部を増し締めすることができる。
【図面の簡単な説明】
【００２０】
【図１】本発明の一実施形態による結束バンドの全体構成を示した斜視図である。
【図２】本発明の一実施形態による結束バンドの頭部を拡大した図である。
【図３】本発明の一実施形態による結束バンドの頭部の断面図である。
【図４】本発明の一実施形態によるバンド部を増し締めする前の頭部を示した斜視図である。
【図５】本発明の一実施形態によるバンド部を増し締めする前のロック爪および送り爪の状態を示した断面図である。
【図６】本発明の一実施形態によるバンド部を増し締めする最中のロック爪および送り爪の状態を示した断面図である。
【図７】本発明の一実施形態によるバンド部を増し締めされた状態のロック爪および送り爪の状態を示した断面図である。
【図８】本発明の一実施形態による接続部の復元力により送り爪とバンド爪との係合が解除される状態を示した断面図である。
【図９】本発明の一実施形態による結束バンドの変形例を示した断面図である。
【発明を実施するための形態】
【００２１】
以下、本発明の実施形態を図面に基づいて説明する。
【００２２】
図１〜図８を参照して、本発明の一実施形態による結束バンド１の構成について説明する。
【００２３】
本発明の一実施形態による結束バンド１は、図１に示すように、電子機器のケーブルなどの結束に用いられる。具体的には、結束バンド１は、バンド部１１と、バンド部１１の長手方向の一方端に設けられている尾部２１と、バンド部１１の長手方向の他方端に設けられている頭部３１とを備えている。また、バンド部１１と、尾部２１と、頭部３１とは、ナイロン（ポリアミド系合成繊維）により一体的に形成されている。また、結束バンド１は、全体が撓み変形可能なように構成されている。
【００２４】
バンド部１１は、図１に示すように、細長形状を有している。バンド部１１は、撓み変形可能なように構成されている。また、バンド部１１のＸ方向の幅は、図２に示すように、頭部３１の孔部３１１よりも小さい幅を有している。また、バンド部１１の表面１１ａには、複数のバンド爪１１１が設けられている。また、バンド部１１の裏面１１ｂには、バンド爪１１１が設けられていない。また、バンド部１１の裏面１１ｂは平坦形状を有している。
【００２５】
複数のバンド爪１１１は、図１に示すように、それぞれ、バンド部１１の長手方向（Ｙ方向）に沿って一定の間隔で設けられている。また、バンド爪１１１は、鋸波形状（略直角三角形形状）の断面を有している。バンド爪１１１は、バンド部１１の送り方向（Ｚ１方向）に直交するロック面１１ｃと、ロック面１１ｃに対して傾斜した傾斜面１１ｄとを有する。また、バンド爪１１１のロック面１１ｃは、高さｈ（図６参照）を有する。
【００２６】
尾部２１は、図１に示すように、バンド部１１の一端側（Ｙ２方向側）から延びるように形成されている。尾部２１は、バンド部１１を頭部３１の孔部３１１（図２参照）に通しやすくするために設けられている。尾部２１は、平面的に見て、先端が丸形形状を有するように構成されている。尾部２１は、撓み変形可能なように構成されている。尾部２１は、バンド部１１よりも小さい厚みを有している。尾部２１のＸ方向の幅は、後述する頭部３１の孔部３１１（図２参照）よりも小さい幅を有している。また、尾部２１には、バンド爪１１１は設けられていない。
【００２７】
ここで、本実施形態では、頭部３１には、図２〜図４に示すように、バンド部１１が通される孔部３１１と、バンド部１１のバンド爪１１１に係合してバンド部１１を固定するロック爪３１３と、バンド部１１を増し締め方向に送るバンド送り部３１５とが一体的に設けられている。頭部３１は、全体として略直方体形状を有している。
【００２８】
孔部３１１は、図２および図３に示すように、バンド部１１の増し締め方向（Ｚ１方向）に沿って形成されている。孔部３１１の内周面３１２の下面３１２ａは、図５に示すように、バンド部１１が孔部３１１に通された状態で、バンド部１１の裏面１１ｂと接触するように構成されている。また、孔部３１１の内周面３１２の下面３１２ａは、バンド部１１の裏面１１ｂに対して摺動可能に構成されている。
【００２９】
ロック爪３１３は、図３および図５に示すように、孔部３１１の内周面３１２の上面３１２ｂに一体的に設けられている。また、ロック爪３１３は、孔部３１１の内周面３１２の下面３１２ａ側（Ｙ２方向側）に突出するように形成されている。また、ロック爪３１３には、図５に示すように、バンド部１１のバンド爪１１１の形状に対応する鋸波形状（略直角三角形形状）の断面（ロック面３１３ｂおよび傾斜面３１３ｃ）を有する爪部３１３ａが３つ設けられている。また、３つの爪部３１３ａは、それぞれ、バンド部１１のバンド爪１１１に係合するように構成されている。
【００３０】
ロック爪３１３は、図５および図７に示すように、バンド爪１１１に係合することによりバンド部１１の増し締め方向と反対方向（Ｚ２方向）にバンド部１１が移動するのを規制して、バンド部１１を頭部３１に対して固定するように構成されている。また、ロック爪３１３は、ロック爪３１３のロック面３１３ｂがバンド爪１１１のロック面１１ｃに係合するように構成されている。また、ロック爪３１３には、ロック爪３１３の根元部分に撓み変形可能な薄肉部３１４が形成されている。また、ロック爪３１３は、図６に示すように、バンド部１１が増し締め方向（Ｚ１方向）に移動する際には、薄肉部３１４が撓み変形されて、バンド爪１１１の高さｈだけ上側（Ｙ１方向側）に回動されるように構成されている。また、ロック爪３１３は、バンド部１１が増し締め方向（Ｚ１方向）に移動する際には、ロック爪３１３の傾斜面３１３ｃがバンド爪１１１の傾斜面１１ｄに沿って移動することにより撓み変形するように構成されている。
【００３１】
また、バンド送り部３１５には、図３〜図８に示すように、バンド送り部３１５と頭部３１とを接続する接続部３１６と、送り爪３１８を増し締め方向（Ｚ１方向）に押し込む押し込み部３１７と、バンド部１１に係合する送り爪３１８とが設けられている。バンド送り部３１５は、後述する接続部３１６が弾性変形することによって、ロック爪３１３に対して相対的に移動するように構成されている。バンド送り部３１５は、ロック爪３１３に対して相対的に移動されることにより、バンド部１１を増し締め方向（Ｚ１方向）に送るように構成されている。
【００３２】
接続部３１６は、図２および図４に示すように、弾性変形可能な蛇腹形状を有するように構成されている。接続部３１６は、頭部３１の後側（Ｚ２方向）に２つ設けられている。また、２つの接続部３１６は、それぞれ、頭部３１の左右方向（Ｘ方向）の両端部に設けられている。接続部３１６は、バンド送り部３１５と頭部３１との接続部分に設けられている。また、接続部３１６は、図５〜図７に示すように、後述する押し込み部３１７が押し込まれることによって弾性変形されるように構成されている。また、接続部３１６は、図５および図７に示すように、３個分のバンド爪１１１の間隔の範囲内で弾性変形可能なように構成されている。また、接続部３１６は、図８に示すように、後述する押し込み部３１７が押し込まれることによって弾性変形された後、復元力により元の位置（図５参照）に戻ることが可能なように構成されている。
【００３３】
押し込み部３１７は、図５〜図７に示すように、バンド送り部３１５を増し締め方向（Ｚ１方向）に押し込むように構成されている。また、押し込み部３１７は、図２および図３に示すように、接続部３１６の後方側（Ｚ２方向側）に設けられている。また、押し込み部３１７は、２つの接続部３１６に挟まれるように頭部３１に設けられている。また、押し込み部３１７は、送り爪３１８に一体的に設けられている。
【００３４】
送り爪３１８は、図３および図５に示すように、頭部３１の孔部３１１の内周面３１２の上面３１２ｂに設けられている。また、送り爪３１８は、バンド部１１の増し締め方向（Ｚ１方向）におけるロック爪３１３の後側（Ｚ２方向側）の位置に設けられている。また、送り爪３１８は、頭部３１の内周面３１２の上面３１２ｂから孔部３１１の内周面３１２の下面３１２ａ側（Ｙ２方向側）に突出するように形成されている。送り爪３１８には、バンド部１１のバンド爪１１１の形状に対応する鋸波形状（略直角三角形形状）の断面（送り面３１８ｂおよび傾斜面３１８ｃ）を有する爪部３１８ａが２つ設けられている。２つの爪部３１８ａは、それぞれ、バンド部１１のバンド爪１１１に係合するように構成されている。また、送り爪３１８の爪部３１８ａは、ロック爪３１３の爪部３１３ａと略同一の形状を有している。
【００３５】
また、送り爪３１８は、図４〜図７に示すように、押し込み部３１７が押し込まれることによりロック爪３１３に対して相対的に直線移動されて、バンド部１１を増し締め方向（Ｚ１方向）に送るように構成されている。また、送り爪３１８は、送り爪３１８の送り面３１８ｂがバンド爪１１１のロック面１１ｃに係合してバンド部１１を増し締め方向に送るように構成されている。また、送り爪３１８は、図５に示すように、ロック爪３１３と６個分のバンド爪１１１の間隔を隔てて設けられている。また、送り爪３１８は、図５および図７に示すように、接続部３１６が３個分のバンド爪１１１の間隔の範囲内で弾性変形することにより、増し締め方向に送られるように構成されている。また、送り爪３１８は、ロック爪３１３に対して相対的にバンド部１１の増し締め方向（Ｚ１方向）に移動される際には、バンド部１１のバンド爪１１１と係合して共に移動されるように構成されている。
【００３６】
送り爪３１８は、図８に示すように、バンド部１１の増し締め後には、弾性変形された接続部３１６の復元力により、バンド爪１１１との係合が解除されてバンド部１１の増し締め方向と反対方向（Ｚ２方向）に移動されるように構成されている。また、送り爪３１８には、送り爪３１８の根元部分に薄肉部３１９が設けられている。
【００３７】
送り爪３１８は、図８に示すように、弾性変形された接続部３１６の復元力によりバンド部１１の増し締め方向と反対方向（Ｚ２方向）に移動する際には、接続部３１６が撓み変形されて、バンド爪１１１の先端部を支点にして回動するように構成されている。また、送り爪３１８は、バンド部１１のバンド爪１１１の高さｈよりも上側（Ｙ１方向側）に回動されるように構成されている。また、送り爪３１８は、接続部３１６が撓み変形することによりバンド部１１に対して離間する方向（Ｙ１方向）に移動してバンド爪１１１との係合が解除されるように構成されている。この際、送り爪３１８は、バンド爪１１１の先端部を回動中心とする送り爪３１８に掛かるモーメントにより上側（Ｙ１方向側）に跳ね上がるように回動されるように構成されている。また、送り爪３１８は、接続部３１６が上側（Ｙ１方向側）に向けて膨らむように撓み変形されて、バンド部１１の増し締め方向と反対方向（Ｚ２方向）に移動されるように構成されている。
【００３８】
また、送り爪３１８は、図４および図５に示すように、弾性変形された接続部３１６の復元力により押し込み部３１７を押し込む前の元の位置に移動可能に構成されている。元の位置に移動された送り爪３１８は、図６および図７に示すように、再度、ロック爪３１３に対して相対的にバンド部１１の増し締め方向（Ｚ１方向）に移動可能なように構成されている。バンド部１１の増し締め方向（Ｚ１方向）に再度移動された送り爪３１８は、バンド部１１を再度増し締め方向に送ることが可能なように構成されている。
【００３９】
次に、図４〜図８を参照して結束バンド１の増し締め手順について説明する。まず、図４および図５に示すように、頭部３１の孔部３１１にバンド部１１が通される。これにより、ロック爪３１３の爪部３１３ａおよび送り爪３１８の爪部３１８ａがバンド爪１１１に係合してバンド部１１が固定される。この状態で、図６および図７に示すように、押し込み部３１７を増し締め方向（Ｚ１方向）に押し込むことにより、バンド部１１を増し締め方向に送る。この際、バンド部１１のバンド爪１１１は、バンド送り部３１５の送り爪３１８に係合された状態で増し締め方向に（Ｚ１方向）に送られる。また、図６に示すように、バンド部１１が１個分のバンド爪１１１の分だけ増し締め方向（Ｚ１方向）に送られる毎に、薄肉部３１４が撓み変形されて一時的にロック爪３１３とバンド爪１１１との係合が解除される。これにより、ロック爪３１３によるバンド部１１の固定が解除される。また、バンド爪１１１は、図７に示すように、接続部３１６が３個分のバンド爪１１１の間隔の範囲内で弾性変形することにより、ロック爪３１３に対して相対的に３個分のバンド爪１１１の距離の範囲内で移動される。その後、送り爪３１８は、図８に示すように、弾性変形された接続部３１６の復元力により、バンド爪１１１との係合が解除されてバンド部１１の増し締め方向と反対方向（Ｚ２方向）に移動される。この際、送り爪３１８は、接続部３１６が上側（Ｙ１方向側）に膨らむように撓み変形されて、バンド爪１１１の高さｈより上側（Ｙ１方向側）に回動される。また、送り爪３１８は、バンド爪１１１の先端部を支点にして上側（Ｙ１方向側）に跳ね上げられるように回動される。その後、送り爪３１８は、バンド部１１に対して離間する方向に移動されてバンド爪１１１との係合が解除される。そして、送り爪３１８は、図５に示すように、接続部３１６が弾性変形する前の状態の位置に戻される。
【００４０】
本実施形態では、上記のように、ロック爪３１３に対して相対的に移動することによりバンド部１１を増し締め方向に送るバンド送り部３１５を設けることによって、バンド送り部３１５により、バンド部１１を増し締めすることができる。また、バンド送り部３１５を頭部３１に一体的に設けることによって、バンド送り部３１５を頭部３１と別個に設けて頭部３１に対して移動可能なように取り付ける場合とは異なり、結束バンド１の構造の複雑化および部品点数の増加を抑制することができる。したがって、結束バンド１の構造の複雑化および部品点数の増加を抑制しながら、バンド部１１を増し締めすることができる。
【００４１】
本実施形態では、上記のように、頭部３１との接続部分に設けた弾性変形可能な接続部３１６を含むとともに、弾性変形可能な接続部３１６が弾性変形してロック爪３１３に対して相対的に移動するようにバンド送り部３１５を構成することによって、増し締めの際に接続部３１６を弾性変形させてバンド送り部３１５をロック爪３１３に対して相対的に移動された後、接続部３１６の復元力によりバンド送り部３１５が元の位置に戻されるので、ユーザが手動でバンド送り部３１５を元の位置に戻す必要がない。これにより、ユーザに負担を軽減しながら、増し締め作業を繰り返し行うことができる。
【００４２】
本実施形態では、上記のように、弾性変形可能な接続部３１６を、蛇腹形状に形成することによって、接続部３１６を容易に弾性変形可能に構成することができる。
【００４３】
本実施形態では、上記のように、バンド爪１１１と係合するとともに、ロック爪３１３に対して相対的に直線移動することにより、バンド部１１を増し締め方向に送る送り爪３１８をバンド送り部３１５に設けることによって、バンド送り部３１５の送り爪３１８をバンド部１１のバンド爪１１１に係合させて確実にバンド部１１を増し締め方向に送ることができる。
【００４４】
本実施形態では、上記のように、送り爪３１８を、バンド部１１の増し締め方向におけるロック爪３１３の後ろ側の位置に設けることによって、ユーザは頭部３１とバンド送り部３１５とを把持して頭部３１と送り爪３１８（バンド送り部３１５）との距離を頭部３１方向に縮めるだけで送り爪３１８をロック爪３１３に対して相対的に移動させることができるので、容易にバンド部１１を増し締め方向に送ることができる。
【００４５】
本実施形態では、上記のように、接続部３１６を介して頭部３１と接続するとともに、バンド送り部３１５を押し込むための押し込み部３１７をバンド送り部３１５に設けるとともに、押し込み部３１７を送り爪３１８に一体的に設け、押し込み部３１７をユーザが押し込むことにより弾性変形可能な接続部３１６が変形して、送り爪３１８がロック爪３１３に対して相対的に移動するように構成することによって、ユーザは、押し込み部３１７を押し込むだけで送り爪３１８をロック爪３１３に対して相対的に移動させることができるので、バンド部１１の増し締め作業を容易に行うことができる。
【００４６】
本実施形態では、上記のように、送り爪３１８とロック爪３１３とを、６個分のバンド爪１１１の間隔を隔てて設けるとともに、送り爪３１８を３個分増し締め方向に送ることにより増し締めするようにバンド部１１を構成することによって、３個以内のバンド爪１１１の間隔の範囲内であれば、任意の個数分のバンド爪１１１の間隔でバンド部１１を送ることができるので、バンド部１１の増し締め量を容易に調整することができる。
【００４７】
本実施形態では、上記のように、ユーザが送り爪３１８をロック爪３１３に対して相対的にバンド部１１の増し締め方向に移動する際には、接続部３１６が弾性変形してバンド部１１のバンド爪１１１と係合して共に移動し、増し締め後には、弾性変形した接続部３１６の復元力により、バンド部１１のバンド爪１１１との係合を解除してバンド部１１の増し締め方向と反対方向に送り爪３１８を移動するように構成することによって、増し締めの際には、接続部３１６を弾性変形させてバンド送り部３１５をロック爪３１３に対して相対的に移動することができるとともに、増し締め後には、送り爪３１８とバンド爪１１１との係合が解除されて送り爪３１８だけが元の位置に戻されるので、バンド部１１の増し締め状態を維持した後送り爪３１８を元の位置に戻すことができる。
【００４８】
本実施形態では、上記のように、弾性変形させた接続部３１６の復元力によりロック爪３１３に対して相対的にバンド部１１の増し締め方向と反対方向に移動する際に、接続部３１６が撓み変形することにより送り爪３１８がバンド部１１に対して離間する方向に移動して係合を解除するように送り爪３１８を構成することによって、接続部３１６により送り爪３１８がバンド部１１に対して離間する方向に移動しやすくなるので、送り爪３１８とバンド爪１１１との係合が解除されやすくなる。これにより、接続部３１６により送り爪３１８を元の位置により容易に戻すことができる。
【００４９】
本実施形態では、上記のように、ユーザによる増し締め後、送り爪３１８を弾性変形させた接続部３１６の復元力によりロック爪３１３に対して相対的にバンド部１１の増し締め方向と反対方向に移動した後に、再度、送り爪３１８をロック爪３１３に対して相対的にバンド部１１の増し締め方向に移動することによりバンド部１１を再度増し締め方向に送ることが可能なように構成することによって、送り爪３１８を増し締め方向に移動してバンド部１１を一度増し締めした後、再度、送り爪３１８をロック爪３１３に対して相対的にバンド部１１の増し締め方向に移動させることができるので、所望の増し締め状態になるまで繰り返し増し締めを行うことができる。
【００５０】
本実施形態では、上記のように、ロック爪３１３の爪部３１３ａと略同一の爪形状に送り爪３１８の爪部３１８ａを形成することによって、送り爪３１８の爪部３１８ａをバンド部１１のバンド爪１１１に容易に係合させることができるので、容易に、バンド送り部３１５の送り爪３１８をバンド部１１のバンド爪１１１に係合させて確実にバンド部１１を増し締め方向に送ることができる。
【００５１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５２】
たとえば、上記実施形態では、接続部を蛇腹形状に形成した例を示したが、本発明はこれに限られない。本発明では、弾性変形可能であれば、蛇腹形状以外の、たとえば、板バネ状に形成してもよい。
【００５３】
また、上記実施形態では、バンド部の表面にバンド爪を設けるとともに、頭部の孔部の内周面の上面に送り爪およびロック爪を設けた例を示したが、本発明はこれに限られない。本発明では、バンド部の表面および裏面の両面にバンド爪を設けるとともに、頭部の孔部の内周面の上面に送り爪およびロック爪の一方を設け、頭部の孔部の内周面の下面に送り爪およびロック爪の他方を設けてもよい。具体的には、図９に示すように、バンド部４４の表面４４ａおよび裏面４４ｂの両面にバンド爪４４４を設けるとともに、頭部５１の孔部５１１の内周面５１２の上面５１３に送り爪５１４を設け、頭部５１の孔部５１１の内周面５１２の下面５１６にロック爪５１５を設けてもよい。
【００５４】
また、上記実施形態では、送り爪の爪部を、２つ設けた例を示したが、本発明はこれに限られない。本発明では、１つ、または、３つ以上の送り爪の爪部を設けてもよい。
【００５５】
また、上記実施形態では、ロック爪の爪部を、３つ設けた例を示したが、本発明はこれに限られない。本発明では、１つ、２つ、または、４つ以上のロック爪の爪部を設けてもよい。
【００５６】
また、上記実施形態では、接続部を、２つ設けた例を示したが、本発明はこれに限られない。本発明では、１つ、または、３つ以上の接続部を設けてもよい。
【００５７】
また、上記実施形態では、送り爪とロック爪とを、６個分のバンド爪の間隔を隔てて設けた例を示したが、本発明はこれに限られない。本発明では、１個〜５個、または、７個以上の間隔を隔ててもよい。
【００５８】
また、上記実施形態では、接続部を、３個分のバンド爪の間隔の範囲内で送り爪を増し締め方向に送れるように構成する例を示したが、本発明はこれに限られない。本発明では、１個、２個、または、４個以上のバンド爪の間隔の範囲内で送れるように構成してもよい。
【００５９】
また、上記実施形態では、頭部にバンド部を通す孔部を形成した例を示したが、本発明はこれに限られない。本発明では、頭部に孔部以外の、たとえば、略凹形状の溝を形成してこの溝にバンド部を通してもよい。
【００６０】
また、上記実施形態では、結束バンドを、ナイロン（ポリアミド系合成繊維）により構成する例を示したが、本発明はこれに限られない。本発明では、結束バンドをナイロン以外の材料の、たとえば、ポリエステル等のバンド全体を撓ませられる材料により構成してもよい。
【符号の説明】
【００６１】
１  結束バンド
１１、４４  バンド部
１１１、４４４  バンド爪
３１、５１  頭部
３１３、５１５  ロック爪
３１３ａ  爪部
３１５  バンド送り部
３１６  接続部
３１７  押し込み部
３１８、５１４  送り爪
３１８ａ  爪部
【図１】
2013113329.tif 000003
【図２】
2013113329.tif 000004
【図３】
2013113329.tif 000005
【図４】
2013113329.tif 000006
【図５】
2013113329.tif 000007
【図６】
2013113329.tif 000008
【図７】
2013113329.tif 000009
【図８】
2013113329.tif 000010
【図９】
2013113329.tif 000011